(57)【要約】ターミナルをロック解除するための方法及びデバイスが本出願に開示されている。本方法は、アプリケーションを開始するために使用される開始指示を受信した場合に、ターミナルのスクリーン上にマスキング画像層を表示することと、マスキング層に基づき、ロック解除指示の入力を受信することと、ロック解除指示がプリセット指示にマッチする場合、アプリケーションを開始することと、を含んでいる。本出願は、ターミナルのロック解除方法の安全性が比較的低い、従来技術の技術的問題を解決する。
2019518269.tif 000002
【特許請求の範囲】
【請求項１】
ターミナルのロック解除方法であって、
アプリケーションを開始するための開始指示が受信された場合に、前記ターミナルのスクリーン上にマスキング層を表示することと、
前記マスキング層に基づき、ロック解除指示の入力を受信することと、
前記ロック解除指示がプリセット指示にマッチする場合、前記アプリケーションを開始することと、
を備えた、方法。
【請求項２】
前記マスキング層に基づく前記ロック解除指示の入力を受信した後に、前記方法は、
前記ロック解除指示が空気流の指示であるかを判断することと、
前記ロック解除指示が前記空気流の指示である場合、ロック解除指示がプリセット指示にマッチすると判定することと、
をさらに備えた、請求項１に記載の方法。
【請求項３】
前記マスキング層に基づく前記ロック解除指示の入力を受信した後に、前記方法は、
前記ロック解除指示が空気流の指示であるかを判断することと、
前記ロック解除指示が前記空気流の指示である場合、前記空気流の指示の空気流の強度がプリセットの強度よりも大であるかを判断することと、
前記空気流の指示の前記空気流の強度が前記プリセットの強度よりも大である場合、前記ロック解除指示が前記プリセット指示にマッチすると判定することと、
をさらに備えた、請求項１に記載の方法。
【請求項４】
前記ロック解除指示が前記空気流の指示であることを判断した後に、前記方法が、
前記ロック解除指示が前記空気流の指示ではないと判断された場合、前記ロック解除指示が層をこする指示であるかを判断することであって、前記層をこする指示が、前記マスキング層上での所定の動作を実施することによって生成される指示であり、前記所定の動作には、タップ操作及びスワイプ操作が含まれる、前記判断することと、
前記ロック解除指示が前記層をこする指示である場合、前記層をこする指示に応じて、前記所定の操作が実施される操作位置に対応するエリアを判定し、前記エリア上に基層を表示することと、
前記基層の表示サイズが、第１のプリセットのサイズ以上である場合、前記ターミナルのスクリーン上にデスクトップを表示することと、
をさらに備えた、請求項２または請求項３に記載の方法。
【請求項５】
前記ターミナルの前記スクリーン上に前記デスクトップを前記表示することは、
切替えアニメーションを再生することであって、前記切替えアニメーションの最初のフレームが前記マスキング層であり、前記切替えアニメーションの最後のフレームが前記アプリケーションの前記基層である、前記再生することと、
前記切替えアニメーションが終了した後に、前記ターミナルの前記スクリーン上に前記デスクトップを表示することと、
を含む、請求項４に記載の方法。
【請求項６】
前記マスキング層に基づく前記ロック解除指示の入力を受信することは、
前記マスキング層を操作することによって生成された、パスワードボックスの表示指示を得ることであって、前記パスワードボックスの表示指示が、前記ターミナルの前記スクリーン上に、ロック解除のプロンプト情報を表示するように指示するために使用される、前記得ることと、
前記パスワードボックスの表示指示に応じて、前記ターミナルの前記スクリーン上に前記ロック解除のプロンプト情報を表示することと、
前記ロック解除のプロンプト情報を通して、前記ロック解除指示の入力を受信することと、
を含む、請求項１に記載の方法。
【請求項７】
前記マスキング層を操作することによって生成された、前記パスワードボックスの表示指示を得ることは、
前記マスキング層で実施された所定の操作を受信することであって、前記所定の操作には、タップ操作及びスワイプ操作が含まれる、前記受信することと、
前記所定の操作が実施される、操作位置に対応する操作エリアを判定することと、
前記操作エリアに前記アプリケーションの基層を表示することと、
前記所定の操作により、前記基層の表示サイズが第１のプリセットのサイズ以上であることが示された場合、前記パスワードボックスの表示指示が受信されたことを判定することと、
を含む、請求項６に記載の方法。
【請求項８】
前記ロック解除のプロンプト情報がパスワード入力ボックスである場合、
前記ロック解除のプロンプト情報を通して、前記ロック解除指示の入力を受信することには、前記パスワード入力ボックスへのロック解除指示の入力を受信することが含まれ、
前記パスワード入力ボックスへの前記ロック解除指示の入力を受信した後に、前記方法はさらに、前記ロック解除指示に含まれるロック解除パスワードが、プリセットのパスワードに一致する場合、前記ロック解除指示が前記プリセット指示にマッチすると判定することをさらに備えている、
請求項６に記載の方法。
【請求項９】
前記ロック解除のプロンプト情報がロック解除ボタンである場合、前記ロック解除のプロンプト情報を通して前記ロック解除指示の入力を受信することには、
前記ロック解除ボタンを押すことによって生成される前記ロック解除指示を受信することが含まれる、請求項６に記載の方法。
【請求項１０】
前記マスキング層の入力に基づく前記ロック解除指示の入力を受信することには、
前記マスキング層で実施された所定の操作を受信することであって、前記所定の操作には、タップ操作及びスワイプ操作が含まれる、前記受信することと、
前記所定の操作が実施される、操作位置に対応する操作エリアを判定することと、
前記操作エリアのサイズが第２のプリセットのサイズより大である場合に、前記ロック解除指示が受信されたと判定することと、
が含まれる、請求項１に記載の方法。
【請求項１１】
前記アプリケーションを開始することには、
切替えアニメーションを再生することであって、前記切替えアニメーションの最初のフレームが前記マスキング層であり、前記切替えアニメーションの最後のフレームが、前記アプリケーションの基層である、再生することと、
前記切替えアニメーションが完了した後に、前記アプリケーションを開始することと、
が含まれる、請求項１に記載の方法。
【請求項１２】
ターミナルをロック解除するためのデバイスであって、
アプリケーションを開始するための開始指示が受信された場合に、前記ターミナルのスクリーン上にマスキング層を表示するように構成された第１のディスプレイユニットと、
前記マスキング層に基づき、ロック解除指示の入力を受信するように構成された受信ユニットと、
前記ロック解除指示がプリセット指示にマッチする場合に、前記アプリケーションを開始するように構成された開始ユニットと、
を備えた、デバイス。
【請求項１３】
前記ロック解除指示が空気流の指示であるかを判断するように構成された第１の判断ユニットと、
前記ロック解除指示が前記空気流の指示である場合に、前記ロック解除指示が前記プリセット指示にマッチするかを判定するように構成された第１の判定ユニットと、
をさらに備えた、請求項１２に記載のデバイス。
【請求項１４】
前記ロック解除指示が空気流の指示であるかを判断するように構成された第２の判断ユニットと、
前記ロック解除指示が前記空気流の指示である場合、前記空気流の指示の空気流の強度がプリセットの強度よりも大であるかを判断するように構成された第３の判断ユニットと、
前記空気流の指示の前記空気流の強度が前記プリセットの強度よりも大である場合、前記ロック解除指示が前記プリセット指示にマッチするかを判定するように構成された、第２の判定ユニットと、
をさらに備えた、請求項１２に記載のデバイス。
【請求項１５】
前記ロック解除指示が前記空気流の指示ではない場合に、前記ロック解除指示が層をこする指示であるかを判断するように構成された第４の判断ユニットであって、前記層をこする指示が、前記マスキング層上に所定の操作を実施することによって生成され、前記所定の操作には、タップ操作及びスワイプ操作が含まれる、前記第４の判断ユニットと、
前記ロック解除指示が前記層をこする指示である場合に、前記所定の操作が実施される操作位置に対応するエリアを判定し、前記層をこする指示に応じて前記エリアに基層を表示するように構成された処理ユニットと、
前記基層の表示サイズが第１のプリセットのサイズ以上である場合に、前記ターミナルの前記スクリーン上にデスクトップを表示するように構成された第２のディスプレイユニットと、
をさらに備えた、請求項１３または請求項１４に記載のデバイス。
【請求項１６】
前記第２のディスプレイユニットは、
切替えアニメーションを再生するように構成された第１の再生サブユニットであって、前記切替えアニメーションの最初のフレームが前記マスキング層であり、前記切替えアニメーションの最後のフレームが前記アプリケーションの前記基層である、前記第１の再生サブユニットと、
前記切替えアニメーションが完了した後に、前記ターミナルの前記スクリーン上に前記デスクトップを表示するように構成された、第１のディスプレイサブユニットと、
を含む、請求項１５に記載のデバイス。
【請求項１７】
前記受信ユニットは、
前記マスキング層を操作することによって生成された、パスワードボックスの表示指示を得るように構成された取得サブユニットであって、前記パスワードボックスの表示指示が、前記ターミナルの前記スクリーン上に、ロック解除のプロンプト情報を表示するように指示するために使用される、前記取得サブユニットと、
前記パスワードボックスの表示指示に応じて、前記ターミナルの前記スクリーン上に前記ロック解除のプロンプト情報を表示するように構成された第２のディスプレイサブユニットと、
前記ロック解除のプロンプト情報を通して、前記ロック解除指示の入力を受信するように構成された受信サブユニットと、
を含む、請求項１２に記載のデバイス。
【請求項１８】
前記取得サブユニットは、
前記マスキング層で実施された所定の操作を受信するように構成された第１の受信モジュールであって、前記所定の操作には、タップ操作及びスワイプ操作が含まれる、前記第１の受信モジュールと、
前記所定の操作が実施される操作位置に対応する操作エリアを判定するように構成された第１の判定モジュールと、
前記操作エリアに前記アプリケーションの基層を表示するように構成されたディスプレイモジュールと、
前記所定の操作により、前記基層の表示サイズが第１のプリセットのサイズ以上であることが示された場合に、前記パスワードボックスの表示指示が受信されたことを判定するように構成された第２の判定モジュールと、
を含む、請求項１７に記載のデバイス。
【請求項１９】
前記ロック解除のプロンプト情報がパスワード入力ボックスである場合に、
前記受信サブユニットは、前記パスワード入力ボックスへの前記ロック解除指示の入力を受信するように構成された第２の受信モジュールを含み、
前記デバイスはさらに、前記ロック解除指示に含まれる前記ロック解除のパスワードがプリセットのパスワードと一致している場合に、前記ロック解除指示が前記プリセット指示にマッチすることを判定するように構成された第３の判定ユニットをさらに備えている、
請求項１７に記載のデバイス。
【請求項２０】
前記ロック解除のプロンプト情報がロック解除ボタンである場合に、前記受信サブユニットは、
前記ロック解除ボタンを押すことによって生成される前記ロック解除指示を受信するように構成された第３の受信モジュールを含む、請求項１７に記載のデバイス。
【請求項２１】
前記開始ユニットは、
切替えアニメーションを再生するように構成された第２の再生サブユニットであって、前記切替えアニメーションの最初のフレームが前記マスキング層であり、前記切替えアニメーションの最後のフレームが前記アプリケーションの基層である、前記第２の再生サブユニットと、
前記切替えアニメーションが完了した後に、前記アプリケーションを開始するように構成された開始サブユニットと、
を含む、請求項１２に記載のデバイス。
【発明の詳細な説明】
【技術分野】
【０００１】
関連出願の相互参照
本出願は、「Ｍｅｔｈｏｄ  ａｎｄ  Ｄｅｖｉｃｅ  ｆｏｒ  Ｕｎｌｏｃｋｉｎｇ  Ｔｅｒｍｉｎａｌ」と題する、中国特許出願第２０１６１０２１８２８４．０号の優先権を主張する。この文献は、その内容全体を参照することにより、本出願に組み込まれる。
【０００２】
本出願は、ターミナルの分野に関し、より詳細には、ターミナルをロック解除するための方法及びデバイスに関する。
【背景技術】
【０００３】
ターミナル（移動電話、タブレット、スマートウォッチなど）は、通常、スリープモードにおいて、ユーザにより、ターミナルが誤って使用されることを防止するために、ロック状態に入る。ユーザは、ターミナルを正常に使用するためには、ターミナルをロック解除する必要がある。さらに、ユーザは、ターミナルにインストールされたいくつかのアプリケーションソフトウェアをロックモードにすることもできる。ユーザがアプリケーションソフトウェアを開く必要がある場合、ユーザは、予め設定されたロック解除方法を通してアプリケーションをロック解除することができる。現在、一般的なロック解除方法には、通常、パスワードのロック解除、グラフィックスワイプのロック解除、指紋によるロック解除、声紋によるロック解除などが含まれている。上述のロック解除方法は、利便性と安全性とのそれぞれにおいて利点があるが、それら方法はすべて、ロック解除インターフェースが、隠匿性に関して比較的脆弱であり、ロック解除方法が高度に直説的であるという特徴を有している。たとえば、ターミナルが他者によって違法に保持されるケースでは、この者がターミナル上でアプリケーションを開くことを意図した場合、アプリケーションのアイコンがタップされた後に、アプリケーションのロック解除インターフェースがターミナルのスクリーン上に直感的な方法で表示されることになる。ロック解除インターフェースがパスワードのロック解除インターフェースであるか、グラフィックスワイプのロック解除インターフェースである場合、違法に保持する者は、アプリケーションのパスワードまたはトラックを破るために、ロック解除ソフトウェア、または、網羅的方法を使用する場合さえある。それにより、アプリケーションのデータを盗み出すか、変更する。したがって、一般に、従来技術のロック解除方法は、高度に暗示的で、比較的直感的であり、一方、隠匿性及び安全性は不十分である。
【０００４】
まとめると、従来技術には、ターミナルをロック解除するための方法が、安全性に欠けるという、技術的問題が存在している。
【発明の概要】
【０００５】
本出願の実施形態により、従来技術における、ターミナルをロック解除するための方法の安全性が低いことの技術的問題を少なくとも解決する、ターミナルをロック解除するための方法及びデバイスが提供される。
【０００６】
本出願の一態様によれば、ターミナルをロック解除するための方法が提供される。本方法は、アプリケーションを開始するための開始指示が受信された場合に、ターミナルのスクリーン上にマスキング層を表示することと、マスキング層に基づき、ロック解除指示の入力を受信することと、ロック解除指示がプリセット指示にマッチする場合、アプリケーションを開始することと、を含んでいる。
【０００７】
本出願の別の態様によれば、ターミナルをロック解除するためのデバイスが提供される。本デバイスは、アプリケーションを開始するための開始指示が受信された場合に、ターミナルのスクリーン上にマスキング層を表示するように構成された第１のディスプレイユニットと、マスキング層に基づき、ロック解除指示の入力を受信するように構成された受信ユニットと、ロック解除指示がプリセット指示にマッチする場合に、アプリケーションを開始するように構成された開始ユニットと、を備えている。
【０００８】
本出願の一実施形態では、アプリケーションを開始するための開始指示を受信した際にターミナルのスクリーン上にマスキング層を表示し、マスキング層に基づき、ロック解除指示の入力を受信し、ロック解除指示がプリセット指示にマッチする場合にアプリケーションを開始する方式により、ロック解除指示がプリセット指示にマッチする場合にアプリケーションを開始する目的は、アプリケーションを開始するための開始指示が受信された際にターミナルのスクリーン上にマスキング層を表示し、次いで、マスキング層に基づくロック解除指示の入力を受信することによって実現される。したがって、ターミナルのロック解除方法の隠匿性及び多様性を向上させ、ターミナルのロック解除方法の安全性を向上させる技術的効果が実現され、従来技術における、ターミナルのロック解除方法が安全性に欠ける技術的問題が解決される。
【０００９】
本明細書に示す図面は、本出願をさらに理解させ、本出願の一部を形成するために使用される。本出願の図示の実施形態、及びそれら実施形態の記載は、本出願を不適切に限定することなく、本出願を解釈するために使用される。
【図面の簡単な説明】
【００１０】
【図１】従来技術のターミナルをロック解除するための方法に係るコンピュータターミナルのハードウェア構造を示すブロック図である。
【図２（ａ）】本出願の一実施形態に係る、ターミナルをロック解除するための、任意選択的方法の概略的フローチャートである。
【図２（ｂ）】本出願の一実施形態に係る、ターミナルをロック解除するための、任意選択的方法の概略図である。
【図２（ｃ）】本出願の一実施形態に係る、ターミナルをロック解除するための、別の任意選択的方法の概略図である。
【図２（ｄ）】本出願の一実施形態に係る、ターミナルをロック解除するための、さらに別の任意選択的方法の概略図である。
【図３（ａ）】本出願の一実施形態に係る、ターミナルをロック解除するための、別の任意選択的方法の概略的フローチャートである。
【図３（ｂ）】本出願の一実施形態に係る、ターミナルをロック解除するための、さらに別の任意選択的方法の概略図である。
【図４】本出願の一実施形態に係る、ターミナルをロック解除するための、さらに別の任意選択的方法の概略的フローチャートである。
【図５（ａ）】本出願の一実施形態に係る、ターミナルをロック解除するための、さらに別の任意選択的方法の概略的フローチャートである。
【図５（ｂ）】本出願の一実施形態に係る、ターミナルをロック解除するための、さらに別の任意選択的方法の概略図である。
【図５（ｃ）】本出願の一実施形態に係る、ターミナルをロック解除するための、さらに別の任意選択的方法の概略図である。
【図６（ａ）】本出願の一実施形態に係る、ターミナルをロック解除するための、さらに別の任意選択的方法の概略的フローチャートである。
【図６（ｂ）】本出願の一実施形態に係る、ターミナルをロック解除するための、さらに別の任意選択的方法の概略図である。
【図７（ａ）】本出願の一実施形態に係る、ターミナルをロック解除するための、さらに別の任意選択的方法の概略的フローチャートである。
【図７（ｂ）】本出願の一実施形態に係る、ターミナルをロック解除するための、さらに別の任意選択的方法の概略図である。
【図８】本出願の一実施形態に係る、ターミナルをロック解除するための、さらに別の任意選択的方法の概略的フローチャートである。
【図９】本出願の一実施形態に係る、ターミナルをロック解除するための、さらに別の任意選択的方法の概略的フローチャートである。
【図１０】本出願の一実施形態に係る、ターミナルをロック解除するための、任意選択的デバイスの構造的概略図である。
【図１１】本出願の一実施形態に係る、ターミナルをロック解除するための、別の任意選択的デバイスの構造的概略図である。
【図１２】本出願の一実施形態に係る、ターミナルをロック解除するための、さらに別の任意選択的デバイスの構造的概略図である。
【図１３（ａ）】本出願の一実施形態に係る、ターミナルをロック解除するための、さらに別の任意選択的デバイスの構造的概略図である。
【図１３（ｂ）】本出願の一実施形態に係る、ターミナルをロック解除するための、さらに別の任意選択的デバイスの構造的概略図である。
【図１４（ａ）】本出願の一実施形態に係る、ターミナルをロック解除するための、さらに別の任意選択的デバイスの構造的概略図である。
【図１４（ｂ）】本出願の一実施形態に係る、ターミナルをロック解除するための、さらに別の任意選択的デバイスの構造的概略図である。
【図１５】本出願の一実施形態に係る、ターミナルをロック解除するための、さらに別の任意選択的デバイスの構造的概略図である。
【図１６】本出願の一実施形態に係る、ターミナルをロック解除するための、さらに別の任意選択的デバイスの構造的概略図である。
【図１７】本出願の一実施形態に係る、ターミナルをロック解除するための、さらに別の任意選択的デバイスの構造的概略図である。
【図１８】本出願の一実施形態に係る、ターミナルをロック解除するための、さらに別の任意選択的デバイスの構造的概略図である。
【図１９】本出願の一実施形態に係る、ターミナルをロック解除するための、さらに別の任意選択的デバイスの構造的概略図である。
【図２０】本出願の一実施形態に係る、ターミナルをロック解除するための、さらに別の任意選択的デバイスの構造的概略図である。
【図２１】本出願の一実施形態に係る、コンピュータターミナルの構造的ブロック図である。
【発明を実施するための形態】
【００１１】
当業者がよりよく本出願の解決策を理解することを可能にするために、本出願の実施形態の技術的解決策は、本出願の実施形態の図面を参照して、明確かつ完全に、以下に記載される。明らかに、本明細書に記載の実施形態は、本出願のいくつかの実施形態に過ぎないが、実施形態のすべてではない。本出願の実施形態に基づき、創造的作業を伴わずに当業者によって得られる他の実施形態すべては、本出願の保護の範囲内にあるものとする。
【００１２】
本出願の詳細な説明、特許請求の範囲、及び上述の図面の中での「ｆｉｒｓｔ」、「ｓｅｃｏｎｄ」などの用語は、類似の対象を区別するために使用され、必ずしも、特定のシークエンスまたは順番を記載するために使用されるものではないことに留意されたい。この方法で使用されるデータは、適切である場合は、本明細書に記載の本出願の実施形態が、本明細書に図示または記載のシークエンス以外の別のシークエンスで実施できるように、相互交換される場合があることを理解されたい。さらに、「ｃｏｍｐｒｉｓｅ」及び「ｉｎｃｌｕｄｅ」、ならびにこれらの変形の用語は、非排他的な包括をカバーすることが意図されている。たとえば、一連のステップまたはユニットを含むプロセス、方法、システム、製品、または装置は、必ずしも、明示的に列挙されたステップまたはユニットに限定されないが、明示的に列挙されないか、そのようなプロセス、方法、製品、または装置には本来備わっている他のステップまたはユニットを含む場合がある。
【００１３】
第１の実施形態
本出願の実施形態によれば、ターミナルをロック解除するための方法の実施形態も提供される。図面のフローチャートに示すステップは、コンピュータ実行可能な指示のセットが貯蔵されたコンピュータシステムなどで実施され得ることに留意されたい。フローチャートには論理的な順番が示されているが、いくつかの場合では、図示または記載されたステップは、本明細書に記載の順番とは異なる順番で実施され得る。
【００１４】
本出願の実施形態は、移動ターミナル、コンピュータターミナルなどで実施することができる。コンピュータターミナル上の動作を実施例として取ると、図１は、本出願の実施形態のターミナルをロック解除するための方法のコンピュータターミナルのハードウェア構造を示すブロック図である。図１に示すように、コンピュータターミナル１０は、１つまたは複数（図面には１つのみを示す）のプロセッサ１０２（プロセッサ１０２は、限定ではないが、マイクロプロセッサＭＣＵまたはプログラマブル論理デバイスＦＰＧＡなどの処理デバイスを含む場合がある）と、データを貯蔵するためのメモリ１０４と、通信機能のための伝達デバイス１０６とを含み得る。当業者は、図１に示す構造が、説明的ものに過ぎず、上述の電子デバイスの構造を限定するものではないことを理解することができる。たとえば、コンピュータターミナル１０は、図１に示す構成要素よりも多いか少ない構成要素を含むか、図１に示す構成とは異なる構成を有する場合もある。
【００１５】
メモリ１０４は、本出願の実施形態におけるターミナルをロック解除するための方法に対応するプログラム指示／モジュールなどの、アプリケーションソフトウェアのソフトウェアプログラム及びモジュールを貯蔵するために使用することができる。プロセッサ１０２は、メモリ１０４に貯蔵されたソフトウェアプログラム及びモジュールを実行し、それにより、様々な機能的アプリケーション及びデータ処理を実施する。すなわち、上述のアプリケーションのターミナルをロック解除するための方法が実現される。メモリ１０４は、高速ランダム・アクセス・メモリを含む場合があり、また、１つまたは複数の磁気貯蔵デバイス、フラッシュメモリ、または他の不揮発性ソリッドステートメモリなどの、不揮発性メモリをも含む場合がある。いくつかの実施例では、メモリ１０４は、プロセッサ１０２に関して遠位に位置するメモリをさらに含む場合がある。そのような遠位のメモリは、ネットワークを介してコンピュータターミナル１０に接続され得る。上述のネットワークの実施例には、限定ではないが、インターネット、イントラネット、ローカル・エリア・ネットワーク、移動通信ネットワーク、及びこれらの組合せが含まれる。
【００１６】
伝達デバイス１０６は、ネットワークを介してデータの受信または送信を行うために使用される。上述のネットワークの特定の実施例には、コンピュータターミナル１０の通信プロバイダによって提供される無線ネットワークが含まれる場合がある。一実施例では、伝達デバイス１０６は、インターネットと通信するように、ベースステーションを通して他のネットワークデバイスと接続することができる、ネットワークインターフェースコントローラ（ＮＩＣ）を含んでいる。一実施例では、伝達デバイス１０６は、インターネットと無線で通信するための無線周波数（ＲＦ）モジュールとすることができる。
【００１７】
上述の動作環境では、本出願により、図２（ａ）に示すように、ターミナルをロック解除するための方法の実施形態が提供される。図２（ａ）は、本出願の一実施形態に係る、ターミナルをロック解除するための方法の概略的フローチャートである。
【００１８】
図２（ａ）に示すように、ターミナルをロック解除するための方法には、以下の実施ステップが含まれ得る。
【００１９】
ステップＳ２０２：アプリケーションを開始するための開始指示が受信された場合に、ターミナルのスクリーン上にマスキング層を表示する。
【００２０】
ステップＳ２０４：マスキング層に基づき、ロック解除指示の入力を受信する。
【００２１】
ステップＳ２０６：ロック解除指示がプリセット指示にマッチする場合、アプリケーションを開始する。
【００２２】
アプリケーションを開始するための受信の実施形態では、マスキング層は、ターミナルのスクリーン上に表示され、次いで、マスキング層に基づくロック解除指示の入力が受信される。ロック解除指示がプリセット指示にマッチする場合、アプリケーションを開始する目的が達成される。したがって、ターミナルをロック解除するための方法の隠匿性、相違性、及び安全性を向上させることの技術的効果が得られる。従来技術における、ターミナルをロック解除するための方法の安全性が低い技術的問題も、解決される。
【００２３】
任意選択的に、アプリケーションをターミナルにインストールすることができる。アプリケーションは、ターミナルによって遠位から制御されるアプリケーションとすることもできる。
【００２４】
任意選択的に、本出願の上述のステップＳ２０２では、ターミナルは、移動電話、スマートウォッチ、タブレットコンピュータ、タッチスクリーンを有するノートブックコンピュータなどであってもよい。ターミナルのユーザは、アプリケーションのアイコンをタップすることにより、ターミナルに、アプリケーションを開始するための開始指示を生成させることができる。マスキング層は、ターミナルのスクリーン上に、フルスクリーンで、または、部分的に表示することができる。マスキング層は、つや消しガラス層（曇りガラス層としても知られている）または単色層とすることができる。
【００２５】
任意選択的に、図２（ｂ）は、本出願の一実施形態に係る、任意選択的な脆弱性検出方法の概略図である。図２（ｂ）に示すように、ターミナルは、移動電話とすることができる。合計で６つのアプリケーションアイコンが、移動電話の現在のホーム・スクリーン・インターフェースに表示されている。６つのアプリケーションは、ＡＰＰ１（アプリケーション１）、ＡＰＰ２、ＡＰＰ３、ＡＰＰ４、ＡＰＰ５、及びＡＰＰ６である。したがって、移動電話のユーザは、上述の６つのアプリケーションの任意の１つのアイコンをタップして、マスキング層のディスプレイインターフェースに入力することができる。
【００２６】
任意選択的に、本出願の上述のステップＳ２０４では、マスキング層のロック解除指示は、ターミナルの製造業者またはユーザによってプリセットされている場合がある。たとえば、ユーザは、マスキング層のロック解除指示を、タップ、スワイプ、または長押しとして設定することができる。異なるアプリケーションに関しては、スクリーン上に表示されるマスキング層は、異なる場合がある。したがって、異なるロック解除層に対応するロック解除指示も、異なる場合がある。たとえば、ターミナルのユーザは、ターミナル上の異なるタイプのアプリケーションに関し、予め異なるマスキング層及びロック解除指示を設定することができる。具体的には、ターミナル上のゲームタイプのアプリケーションのマスキング層は、単色層である。ゲームタイプのアプリケーションを開く際には、ユーザは、ロック解除指示を生成するために、単色層を長押しする必要がある。ターミナル上のソーシャルタイプのアプリケーションのマスキング層は、つや消しガラス層である。ソーシャルアプリケーションを開く際には、ユーザは、ロック解除指示を生成するために、つや消しガラス層上で規則的なスライド操作を行う必要がある。
【００２７】
任意選択的に、本出願の上述のステップＳ２０６では、ロック解除指示がプリセット指示にマッチする場合、マスキング層のディスプレイインターフェースは、ターミナルのスクリーン上の基層のディスプレイインターフェースに切り替え、次いで、アプリケーションのディスプレイインターフェースに切り替えることができる。さらに、マスキング層のディスプレイインターフェースは、ターミナルのスクリーン上のアプリケーションのディスプレイインターフェースに直接切り替えることができる。
【００２８】
任意選択的に、図２（ｃ）は、本出願の一実施形態に係る、別の任意選択的なスキャニングの脆弱性検出方法の概略図である。図２（ｃ）に示すように、ターミナルは、移動電話である場合がある。移動電話のスクリーンのディスプレイインターフェースは、マスキング層から基層に切り替えられる。具体的には、マスキング層は、つや消しガラス層とすることができる。基層は、高精細ガラス層とすることができる。
【００２９】
任意選択的に、図２（ｄ）は、本出願の一実施形態に係る、別の任意選択的な脆弱性検出方法の概略図である。図２（ｄ）に示すように、ターミナルは、移動電話とすることができる。移動電話のスクリーンのディスプレイインターフェースは、マスキング層から基層に切り替えられる。具体的には、アプリケーションは、ノートパッドとすることができる。少なくとも既存の「アイテム１」、「アイテム２」、及び「アイテム３」が、アプリケーションのディスプレイインターフェースに表示される。
【００３０】
任意選択的に、図３（ａ）は、本出願の一実施形態に係る、ターミナルをロック解除するための、別の任意選択的方法の概略的フローチャートである。図３（ａ）に示すように、マスキング層に基づくロック解除指示の入力が受信された後に、本方法は、さらに、以下を含む。
【００３１】
ステップＳ３０２：ロック解除指示が空気流の指示であるかを判断する。
【００３２】
任意選択的に、本出願の上述のステップＳ３０２では、ターミナルのユーザは、ターミナルのマイクの流入口に息を吹きかけてターミナルに空気流の指示を生じさせることができる。そのような操作の方式は、特別な音声起動操作方式である。
【００３３】
任意選択的に、図３（ｂ）は、本出願の一実施形態に係る、ターミナルをロック解除するための、さらに別の任意選択的方法の概略図である。図３（ｂ）に示すように、ターミナルは、移動電話３０１とすることができる。ユーザは、移動電話３０１のマイクに息を吹きかけることができる。空気流が移動電話３０１のマイクの流入部に流れた場合、ターミナルは、空気流の指示の生成を引き起こされる。
【００３４】
ステップＳ３０４：ロック解除指示が空気流の指示である場合、ロック解除指示がプリセット指示にマッチすると判定する。
【００３５】
任意選択的に、本出願の上述のステップＳ３０４では、ターミナルによって生成された空気流の指示の適時性及び正確性を向上させるために、ターミナルのマイクの感度を調整することができ、それにより、誤った指示を生じることを避けている。
【００３６】
任意選択的に、図４は、本出願の一実施形態に係る、ターミナルをロック解除するための、さらに別の任意選択的方法の概略的フローチャートである。図４に示すように、マスキング層に基づくロック解除指示の入力が受信された後に、本方法は、さらに、以下を含む。
【００３７】
ステップＳ４０２：ロック解除指示が空気流の指示であるかを判断する。
【００３８】
任意選択的に、本出願の上述のステップＳ４０２では、ロック解除指示が空気流の指示であるかの判断は、ターミナルに取り付けられた音声センサおよち音声処理チップによって達成することができる。
【００３９】
ステップＳ４０４：ロック解除指示が空気流の指示である場合、空気流の指示の空気流の強度がプリセットの強度よりも大であるかを判断する。
【００４０】
任意選択的に、本出願の上述のステップＳ４０４では、プリセットの強度は、ターミナルが使用される環境または条件に応じて、ターミナルのユーザによってプリセットすることができる。プリセットの強度は、異なり使用環境下では変化する場合がある。たとえば、ターミナルの使用環境が、騒がしい公共エリアである場合、プリセットの強度は高い。ターミナルの使用環境が、静かなプライベートエリアである場合、プリセットの強度は低い。
【００４１】
ステップＳ４０６：空気流の指示の空気流の強度がプリセットの強度よりも大である場合、ロック解除指示がプリセット指示にマッチすると判定する。
【００４２】
任意選択的に、本出願の上述のステップＳ４０６では、ターミナルが同時に複数の空気流の指示を受信する場合があることから、ターミナルは、複数の空気流の指示を識別して、ターミナル上でのユーザの操作に基づき、どの空気流の指示が生成されているかを判定する必要がある。ターミナルは、それ自体の音声センサ、圧力センサ、重力センサ、及び他のセンサとの協同に頼って、認識アルゴリズムを通して、ターミナル上でのユーザの操作によって生成される空気流の指示を判定することができる。
【００４３】
任意選択的に、図５（ａ）は、本出願の一実施形態に係る、ターミナルをロック解除するための、さらに別の任意選択的方法の概略的フローチャートである。図５（ａ）に示すように、ロック解除指示が空気流の指示であるかを判断した後に、本方法は、以下をさらに含む。
【００４４】
ステップＳ５０２：ロック解除指示が、空気流の指示ではないと判断された場合、ロック解除指示が層をこする指示であるかを判断する。ここで、層をこする指示は、マスキング層の所定の動作を実施することによって生成される指示であり、この所定の動作には、タップ操作及びスワイプ操作が含まれる。
【００４５】
任意選択的に、本出願の上述のステップＳ５０２では、層をこすることは、マスキング層のカモフラージュ効果を損なう動作であると解釈することができ、これにより、アプリケーションの隠匿性がいくらか低減される。
【００４６】
任意選択的に、図５（ｂ）は、本出願の一実施形態に係る、ターミナルをロック解除するための、さらに別の任意選択的方法の概略図である。図５（ｂ）に示すように、ターミナルは、移動電話とすることができる。ユーザは、移動電話のスクリーン上に現在表示されているマスキング層をスワイプすることにより、移動電話のスクリーン上に基層を同時に表示することができる。基層の表示エリアは、ユーザの移動電話のスワイプトラックと位置的に整列している。図５（ｂ）の基層は、基層をマスキング層から区別する目的で、マスキング層に比べ、ハイライトして表示されていることに留意されたい。
【００４７】
ステップＳ５０４：ロック解除指示が層をこする指示である場合、層をこする指示に応じて、所定の操作が実施される操作位置に対応するエリアを判定し、そのエリア上に基層を表示する。
【００４８】
任意選択的に、本出願の上述のステップＳ５０４では、基層は、部分的に表示され得る。基層のエリアは、操作者の第１の操作エリアと同じである場合があるか、第１の操作エリアよりわずかに大である場合がある。第１の操作エリアは、ユーザが移動電話のスクリーンをスワイプした際に、操作者の指の表面が移動電話のスクリーンに接触するエリアの合計として関連する。
【００４９】
ステップＳ５０６：基層の表示サイズが、第１のプリセットのサイズ以上である場合、ターミナルのスクリーン上にデスクトップを表示する。
【００５０】
任意選択的に、本出願の上述のステップＳ５０６では、第１のプリセットのサイズは、ユーザによって予め設定することができる。たとえば、ターミナルが５．５インチのスクリーンの移動電話である場合、第１のプリセットのサイズは、移動電話のスクリーンのいずれの方向においても３インチに設定することができる。基層が、特定の方向において３インチ以上であるディスプレイサイズである場合、デスクトップを移動電話のスクリーン上に表示することができる。第１のプリセットのサイズは、やはり、あるエリアとすることができる。別の実施例として、第１のプリセットのサイズは、５平方インチである。基層のエリアが、５平方インチ以上である場合、デスクトップを移動電話のスクリーン上に表示することができる。
【００５１】
任意選択的に、図５（ｃ）は、本出願の一実施形態に係る、ターミナルをロック解除するための、さらに別の任意選択的方法の概略図である。図５（ｃ）に示すように、ターミナルは、移動電話である。基層が、水平方向において３インチであるディスプレイサイズを有する場合、デスクトップを移動電話のスクリーン上に表示する。
【００５２】
任意選択的に、図６（ａ）は、本出願の一実施形態に係る、ターミナルをロック解除するための、さらに別の任意選択的方法の概略的フローチャートである。図６（ａ）に示すように、デスクトップをターミナルのスクリーン上に表示することには、以下が含まれる。
【００５３】
ステップＳ６０２：切替えアニメーションを再生する。ここで、切替えアニメーションの最初のフレームはマスキング層であり、切替えアニメーションの最後のフレームはアプリケーションの基層である。
【００５４】
任意選択的に、本出願の上述のステップＳ９０２では、切替えアニメーションのアニメーション持続時間は、ターミナルのユーザによってプリセットすることができる。概して、比較的短いアニメーション持続時間が、利便性を向上させるために設定され得、比較的長いアニメーション持続時間が、隠匿性を向上させるために設定され得る。
【００５５】
ステップＳ６０４：切替えアニメーションが終了した後に、ターミナルのスクリーン上にデスクトップを表示する。
【００５６】
任意選択的に、本出願の上述のステップＳ６０４において、切替えアニメーションが終了した後に、ターミナルのスクリーンは、デスクトップ上に直接表示することができるか、切替えアニメーションの最後のフレーム、すなわち、アプリケーションの基層を継続して表示することができる。アプリケーションの基層が継続して表示される場合、ユーザは、アプリケーションの基層上をタップして、デスクトップを表示することができる。
【００５７】
任意選択的に、図６（ｂ）は、本出願の一実施形態に係る、ターミナルをロック解除するための、さらに別の任意選択的方法の概略的フローチャートである。図６（ｂ）に示すように、ターミナルは移動電話であり、移動電話のスクリーンの現在のディスプレイインターフェースは、切替えアニメーションの最後のフレーム、すなわち、アプリケーションの基層である。ユーザは、移動電話のスクリーンがデスクトップを表示するように、アプリケーションの基層上をタップする必要がある。
【００５８】
任意選択的に、図７（ａ）は、本出願の一実施形態に係る、ターミナルをロック解除するための、さらに別の任意選択的方法の概略的フローチャートである。図７（ａ）に示すように、マスキング層に基づくロック解除指示の入力を受信することには、以下が含まれる。
【００５９】
ステップＳ７０２：マスキング層を操作することによって生成された、パスワードボックスの表示指示を得る。ここで、パスワードボックスの表示指示は、ターミナルのスクリーン上に、ロック解除のプロンプト情報を表示するように指示するために使用される。
【００６０】
任意選択的に、本出願の上述のステップＳ７０２では、ロック解除のプロンプト情報は、どのロック解除方式がロック解除するために使用されるかに関する場合がある。ロック解除方式には、パスワードのロック解除、画像をスライドさせるロック解除、指紋によるロック解除、及び、声紋によるロック解除が含まれる場合がある。
【００６１】
ステップＳ７０４：パスワードボックスの表示指示に応じて、ターミナルのスクリーン上にロック解除のプロンプト情報を表示する。
【００６２】
任意選択的に、本出願の上述のステップＳ７０４では、ロック解除のプロンプト情報は、記号、画像、シンボルなどである場合がある。たとえば、ロック解除のプロンプト情報が「指紋によるロック解除」である場合、ロック解除指示は、指紋によるロック解除方式で生成する必要がある。
【００６３】
ステップＳ７０６：ロック解除のプロンプト情報を通して、ロック解除指示の入力を受信する。
【００６４】
任意選択的に、本出願の上述のステップＳ７０６では、ロック解除のプロンプト情報は、ロック解除指示に対応し、この対応は、ターミナルのユーザによってプリセットすることができる。
【００６５】
任意選択的に、図７（ｂ）は、本出願の一実施形態に係る、ターミナルをロック解除するための、さらに別の任意選択的方法の概略的フローチャートである。図７（ｂ）に示すように、ロック解除のプロンプト情報は、「パスワードを入力してください」のテキストであり、ロック解除指示は、４つの数字のパスワードを数字のキーパッドを通して入力することによって生成することができる。図７（ｂ）における基層の表示サイズは、基層のエリアであり、基層の単位は、平方センチメートルか平方インチである場合があることに留意されたい。
【００６６】
任意選択的に、図８は、本出願の一実施形態に係る、ターミナルをロック解除するための、さらに別の任意選択的方法の概略的フローチャートである。図８に示すように、マスキング層を操作することによって生成されるパスワードボックスの表示指示を得ることには、以下が含まれる。
【００６７】
ステップＳ８０２：マスキング層で実施された所定の操作を受信する。ここで、所定の操作には、タップ操作及びスワイプ操作が含まれる。
【００６８】
ステップＳ８０４：所定の操作が実施される、操作位置に対応する操作エリアを判定する。
【００６９】
ステップＳ８０６：操作エリアにアプリケーションの基層を表示する。
【００７０】
ステップＳ８０８：所定の操作により、基層の表示サイズが第１のプリセットのサイズ以上であることが示された場合、パスワードボックスの表示指示が受信されたことを判定する。
【００７１】
ステップＳ８０２からＳ８０８は、ターミナルのＣＰＵ（中央処理ユニット）及びＧＰＵ（グラフィック処理ユニット）によって実施され得る。第１のプリセットのサイズは、ユーザによってプリセットすることができる。操作エリアは、ユーザの指が移動電話のスクリーン上をスワイプした後に、移動電話のスクリーン上にすでに存在する、指でスワイプするエリアに関する。
【００７２】
任意選択的に、ロック解除のプロンプト情報がパスワード入力ボックスである場合、ロック解除のプロンプト情報を通してロック解除指示の入力を受信することには、以下が含まれる。
【００７３】
ステップＳ１０：パスワード入力ボックスのロック解除指示の入力を受信する。
【００７４】
任意選択的に、本出願の上述のステップＳ２０では、パスワード入力ボックスは、入力する必要があるパスワードの数を表示することができる。
【００７５】
任意選択的に、パスワード入力ボックスに入力されたロック解除指示が受信された後に、本方法は、以下をさらに含む。
【００７６】
ステップＳ２０：ロック解除指示に含まれるロック解除パスワードが、プリセットのパスワードに一致する場合、ロック解除指示がプリセット指示にマッチすると判定する。
【００７７】
任意選択的に、本出願の上述のステップＳ２０では、プリセットのパスワードは、記号、数字、及び文字の構成である場合がある。
【００７８】
任意選択的に、ロック解除のプロンプト情報がロック解除ボタンである場合、ロック解除のプロンプト情報を通してロック解除指示の入力を受信することには、以下が含まれる。
【００７９】
ステップＳ３０：ロック解除ボタンを押すことによって生成されるロック解除指示を受信する。
【００８０】
任意選択的に、本出願の上述のステップＳ３０では、ロック解除ボタンは、物理的なボタンであるか、仮想のボタンである場合がある。ロック解除ボタンが物理的なボタンである場合、ロック解除指示を生成する方式は、指紋によるロック解除を含む場合がある。
【００８１】
任意選択的に、図９は、本出願の一実施形態に係る、ターミナルをロック解除するための、さらに別の任意選択的方法の概略的フローチャートである。図９に示すように、アプリケーションを開始することには、以下が含まれる。
【００８２】
ステップＳ９０２：切替えアニメーションを再生する。ここで、切替えアニメーションの最初のフレームはマスキング層であり、切替えアニメーションの最後のフレームはアプリケーションの基層である。
【００８３】
任意選択的に、本出願の上述のステップＳ９０２では、切替えアニメーションのアニメーション持続時間は、ターミナルのユーザによってプリセットすることができる。概して、比較的短いアニメーション持続時間が、利便性を向上させるために設定され得、比較的長いアニメーション持続時間が、隠匿性を向上させるために設定され得る。
【００８４】
ステップＳ９０４：切替えアニメーションが完了した後に、アプリケーションを開始する。
【００８５】
任意選択的に、本出願の上述のステップＳ９０４において、切替えアニメーションが終了した後に、アプリケーションのウェルカムスクリーンまたは機能インターフェースが、ターミナルのスクリーン上に表示される。ユーザが次のアプリケーションを開く必要がある場合、開始されているアプリケーションは、バックグラウンドに置かれ得る。このアプリケーションにふたたび切り替える必要がある場合、空気流の指示を通してアプリケーションのウェルカムスクリーンまたは機能インターフェースに入力する必要があるかを、やはりユーザによってプリセットすることができる。
【００８６】
任意選択的に、マスキング層に基づくロック解除指示の入力には、以下が含まれる。
【００８７】
ステップＳ４０：マスキング層で実施された所定の操作を受信する。ここで、所定の操作には、タップ操作及びスワイプ操作が含まれる。
【００８８】
ステップＳ５０：所定の操作が実施される、操作位置に対応する操作エリアを判定する。
【００８９】
ステップＳ６０：操作エリアのサイズが第２のプリセットのサイズより大である場合、ロック解除指示が受信されたことを判定する。
【００９０】
ステップＳ４０からＳ６０は、ターミナルのＣＰＵ（中央処理ユニット）及びＧＰＵ（グラフィック処理ユニット）によって実施され得る。第２のプリセットのサイズは、操作エリアの面積であるか、任意の方向における操作エリアの直線長さである場合がある。この実施形態では、ロック解除指示は、息を吹きかける指示ではない場合がある。すなわち、タップ操作、スワイプ操作、または他の操作方式によって生成されたロック解除指示は、マスキング層を除去することもでき、それにより、アプリケーションをロック解除する。ロック解除指示を設定する場合、ターミナルのユーザは、息を吹きかける操作、タップ操作、及びスワイプ操作のいずれか１つを選択してロック解除指示を生成することができ、また、上述の３つのロック解除操作は、協同するように実施することもできることに留意されたい。
【００９１】
任意選択的に、ターミナル上での空気流の指示の生成時間は、こする指示の生成時間の前の時間に限定されない。空気流の指示は、こする指示と協同して、アプリケーションの所定の操作を実現することができる。たとえば、ターミナル上で特定のアプリケーションを開いた後に、ユーザは、最初に、アプリケーションの偽装インターフェース上で、指でこする操作を実施することができる。しかし、この操作は、必ずしも、ターミナルにパスワードボックスを生成させて、指示を表示させるわけではなく、このため、ロック解除のプロンプト情報は、ターミナル上に現れない場合がある。さらに、アプリケーションの偽装インターフェース上を指でこする操作を実施する場合、ユーザは、ターミナルのマイクに向かって息を吹きかけることができ、それにより、ターミナルが空気流の指示を生成し、現在のインターフェースが、アプリケーションの共通のインターフェースに変化するようになっている。アプリケーションの共通のインターフェースがターミナルのスクリーン上に表示される前に、ターミナルは、ユーザの息を吹きかける操作に応じて、任意の時間に息を吹きかける指示を生成することができることに留意されたい。
【００９２】
前述の方法の実施形態の各々に関し、詳細な説明は、簡潔さのために、操作の一連の組合せとして記載されていることに留意されたい。しかし、当業者には、本出願が、作業の記載のシークエンスによって限定されないことを理解されたい。その理由は、本出願に応じて、いくつかのステップが、他の順番か、同時に実施できるためである。さらに、当業者には、本明細書に記載の実施形態がすべて好ましい実施形態であり、伴われる作業及びモジュールは、必ずしも、本出願によって必要とはされていないことをも理解されたい。
【００９３】
上述の実施形態の記載を通し、当業者は、上述の実施形態に係る方法が、ソフトウェアと必要な一般的ハードウェアプラットフォームとにより、また、当然、ハードウェアにより、実施され得ることを明確に理解することができる。しかし、多く場合、ソフトウェアと必要な一般的ハードウェアプラットフォームとによる実施がよりよい実施態様である。この理解に基づき、従来技術に対する、本出願の技術的解決策、または、その寄与は、貯蔵媒体（ＲＯＭ／ＲＡＭ、ディスク、ＣＤなど）に貯蔵され、ターミナルデバイス（移動電話、コンピュータ、サーバ、またはネットワークデバイスなどである場合がある）に、それぞれのアプリケーションにおいて記載の方法を実行することを可能にする複数の指示を含む、ソフトウェア製品の形態で実施することができる。
【００９４】
第２の実施形態
本出願の実施形態によれば、ターミナルをロック解除するための上述の方法を実施するための、ターミナルをロック解除するためのデバイスも提供される。図１０に示すように、本デバイスは、第１のディスプレイユニット１００１、受信ユニット１００３、及び開始ユニット１００５を含む場合がある。
【００９５】
第１のディスプレイユニット１００１は、アプリケーションを開始するための開始指示が受信された場合に、ターミナルのスクリーン上にマスキング層を表示するように構成されている。受信ユニット１００３は、マスキング層に基づくロック解除指示の入力を受信するように構成されている。開始ユニット１００５は、ロック解除指示がプリセット指示にマッチした場合、アプリケーションを開始するように構成されている。
【００９６】
第１のディスプレイユニット１００１、受信ユニット１００３、及び開始ユニット１００５は、第１の実施形態のステップＳ２０２からステップＳ２０６に対応しており、これら３つのユニットは、対応するステップによって実施される実施例及びアプリケーションのシナリオと同じであるが、これらは第１の実施形態の開示には限定されないことに留意されたい。上述のユニットは、第１の実施形態によって提供されたコンピュータターミナル１０におけるデバイスの一部として操作することができることに留意されたい。
【００９７】
本出願の上述の実施形態を使用して、ロック解除指示がプリセット指示にマッチする場合にアプリケーションを開始する目的は、アプリケーションを開始するための開始指示が受信された際にターミナルのスクリーン上にマスキング層を表示し、次いで、マスキング層に基づくロック解除指示の入力を受信することによって実現される。したがって、ターミナルのロック解除方法の隠匿性及び多様性を向上させ、ターミナルのロック解除方法の安全性を向上させる技術的効果が実現され、従来技術における、ターミナルのロック解除方法が安全性に欠ける問題が解決される。
【００９８】
任意選択的に、図１に示すように、本デバイスは、第１の判断ユニット１１０１と第１の判定ユニット１１０３とをさらに含む場合がある。
【００９９】
第１の判断ユニット１１０１は、ロック解除指示が空気流の指示であるかを判断するように構成されている。第１の判定ユニット１１０３は、ロック解除指示が空気流の指示である場合に、ロック解除指示がプリセット指示にマッチするかを判定するように構成されている。
【０１００】
第１の判断ユニット１１０１と第１の判定ユニット１１０３とは、第１の実施形態のステップＳ３０２からステップＳ３０４に対応しており、これら２つのユニットは、対応するステップによって実施される実施例及びアプリケーションのシナリオと同じであるが、これらは第１の実施形態の開示には限定されないことに留意されたい。上述のユニットは、第１の実施形態によって提供されたコンピュータターミナル１０におけるデバイスの一部として操作することができることに留意されたい。
【０１０１】
任意選択的に、図１２に示すように、本デバイスは、第２の判断ユニット１２０１、第３の判断ユニット１２０３、及び第２の判定ユニット１２０５をさらに含む場合がある。
【０１０２】
第２の判断ユニット１２０１は、ロック解除指示が空気流の指示であるかを判断するように構成され、第３の判断ユニット１２０３は、ロック解除指示が空気流の指示である場合に、空気流の指示の空気流の強度がプリセットの強度よりも大であるかを判断するように構成されている。第２の判定ユニット１２０５は、空気流の指示の空気流の強度がプリセットの強度よりも大である場合、ロック解除指示がプリセット指示にマッチするかを判定するように構成されている。
【０１０３】
第２の判断ユニット１２０１、第３の判断ユニット１２０３、及び第２の判定ユニット１２０５は、第１の実施形態のステップＳ４０２からステップＳ４０６に対応しており、これら３つのユニットは、対応するステップによって実施される実施例及びアプリケーションのシナリオと同じであるが、これらは第１の実施形態の開示には限定されないことに留意されたい。上述のユニットは、第１の実施形態によって提供されたコンピュータターミナル１０におけるデバイスの一部として操作することができることに留意されたい。
【０１０４】
任意選択的に、図１３（ａ）または図１３（ｂ）に示すように、本デバイスは、第４の判断ユニット１３０１、処理ユニット１３０３、及び第２のディスプレイユニット１３０５をさらに含む場合がある。
【０１０５】
第４の判断ユニット１３０１は、ロック解除指示が空気流の指示ではない場合に、ロック解除指示が層をこする指示であるかを判断するように構成されている。ここで、層をこする指示は、マスキング層の所定の動作を実施することによって生成される指示であり、この所定の動作には、タップ操作及びスワイプ操作が含まれる。処理ユニット１３０３は、ロック解除指示が層をこする指示である場合、所定の操作が実施されている操作位置に対応するエリアを判定し、そのエリアに基層を表示するように構成されている。第２のディスプレイユニット１３０５は、基層の表示サイズが、第１のプリセットのサイズ以上である場合、ターミナルのスクリーン上にデスクトップを表示するように構成されている。
【０１０６】
第４の判断ユニット１３０１、処理ユニット１３０３、及び第２のディスプレイユニット１３０５は、第１の実施形態のステップＳ５０２からステップＳ５０６に対応しており、これら３つのユニットは、対応するステップによって実施される実施例及びアプリケーションのシナリオと同じであるが、これらは第１の実施形態の開示には限定されないことに留意されたい。上述のユニットは、第１の実施形態によって提供されたコンピュータターミナル１０におけるデバイスの一部として操作することができることに留意されたい。
【０１０７】
任意選択的に、図１４（ａ）または図１４（ｂ）に示すように、第２のディスプレイユニット１３０５は、第１の再生サブユニット１４０１及び第１のディスプレイサブユニット１４０３を含む場合がある。
【０１０８】
第１の再生サブユニット１４０１は、切替えアニメーションを再生するように構成されている。切替えアニメーションの最初のフレームはマスキング層であり、切替えアニメーションの最後のフレームはアプリケーションの基層である。第１のディスプレイサブユニット１４０３は、切替えアニメーションが終了した後に、ターミナルのスクリーン上にデスクトップを表示するように構成されている。
【０１０９】
第１の再生サブユニット１４０１と第１のディスプレイサブユニット１４０３とは、第１の実施形態のステップＳ６０２からステップＳ６０４に対応しており、これら２つのサブユニットは、対応するステップによって実施される実施例及びアプリケーションのシナリオと同じであるが、これらは第１の実施形態の開示には限定されないことに留意されたい。上述のサブユニットは、第１の実施形態によって提供されたコンピュータターミナル１０におけるデバイスの一部として操作することができることに留意されたい。
【０１１０】
任意選択的に、図１５に示すように、受信ユニット１００３は、取得サブユニット１５０１、第２のディスプレイサブユニット１５０３、及び第１の受信サブユニット１５０５を含む場合がある。
【０１１１】
取得サブユニット１５０１は、マスキング層を操作することによって生成された、パスワードボックスの表示指示を得るように構成されている。ここで、パスワードボックスの表示指示は、ターミナルのスクリーン上に、ロック解除のプロンプト情報を表示するように指示するために使用される。第２のディスプレイサブユニット１５０３は、パスワードボックスの表示指示に応じて、ターミナルのスクリーン上にロック解除のプロンプト情報を表示するように構成されている。第１の受信サブユニット１５０５は、ロック解除のプロンプト情報を通して、ロック解除指示の入力を受信するように構成されている。
【０１１２】
取得サブユニット１５０１と、第２のディスプレイサブユニット１５０３と、第１の受信サブユニット１５０５とは、第１の実施形態のステップＳ７０２からステップＳ７０６に対応しており、これら３つのサブユニットは、対応するステップによって実施される実施例及びアプリケーションのシナリオと同じであるが、これらは第１の実施形態の開示には限定されないことに留意されたい。上述のサブユニットは、第１の実施形態によって提供されたコンピュータターミナル１０におけるデバイスの一部として操作することができることに留意されたい。
【０１１３】
任意選択的に、図１６に示すように、取得サブユニット１５０１は、第１の受信モジュール１６０１、第１の判定モジュール１６０３、ディスプレイモジュール１６０５、及び第２の判定モジュール１６０７を含む場合がある。
【０１１４】
第１の受信モジュール１６０１は、マスキング層で実施された所定の操作を受信するように構成されている。ここで、所定の操作には、タップ操作及びスワイプ操作が含まれる。第１の判定モジュール１６０３は、所定の操作が実施される操作位置に対応する操作エリアを判定するように構成されている。モジュール１６０５は、操作エリアにおけるアプリケーションの基層を表示するように構成されている。第２の判定モジュール１６０７は、所定の操作により、基層の表示サイズが第１のプリセットのサイズ以上であることが示された場合、パスワードボックスの表示指示が受信されたことを判定するように構成されている。
【０１１５】
第１の受信モジュール１６０１と、第１の判定モジュール１６０３と、ディスプレイモジュール１６０５と、第２の判定モジュール１６０７とは、第１の実施形態のステップＳ８０２からステップＳ８０８に対応しており、これら４つのモジュールは、対応するステップによって実施される実施例及びアプリケーションのシナリオと同じであるが、これらは第１の実施形態の開示には限定されないことに留意されたい。上述のモジュールは、第１の実施形態によって提供されたコンピュータターミナル１０におけるデバイスの一部として操作することができることに留意されたい。
【０１１６】
任意選択的に、図１７に示すように、ロック解除のプロンプト情報がパスワード入力ボックスである場合、第１の受信サブユニット１５０５は、第２の受信モジュール１７０１を含む場合がある。このデバイスは、第３の判定ユニット１７０３をさらに含む場合がある。
【０１１７】
第２の受信モジュール１７０１は、パスワード入力ボックスのロック解除指示の入力を受信するように構成されている。第３の判定ユニット１７０３は、ロック解除指示に含まれるロック解除パスワードが、プリセットのパスワードに一致する場合、ロック解除指示がプリセット指示にマッチすると判定するように構成されている。
【０１１８】
上述の第２の受信モジュール１７０１は、第１の実施形態のステップＳ１０に対応することに留意されたい。このモジュールは、対応するステップによって実施される実施例及びアプリケーションのシナリオと同じであるが、第１の実施形態の開示には限定されない。上述のモジュールは、第１の実施形態によって提供されたコンピュータターミナル１０におけるデバイスの一部として操作することができることに留意されたい。さらに、第３の判定ユニット１７０３は、第１の実施形態のステップＳ２０に対応する。このユニットは、対応するステップによって実施される実施例及びアプリケーションのシナリオと同じであるが、第１の実施形態の開示には限定されない。上述のユニットは、第１の実施形態によって提供されたコンピュータターミナル１０におけるデバイスの一部として操作することができることに留意されたい。
【０１１９】
任意選択的に、図１８に示すように、ロック解除のプロンプト情報がロック解除ボタンである場合、第１の受信サブユニット１５０５は、第３の受信モジュール１８０１を含む場合がある。
【０１２０】
第３の受信モジュール１８０１は、ロック解除ボタンを押すことによって生成されるロック解除指示を受信するように構成されている。
【０１２１】
第３の受信モジュール１８０１は、第１の実施形態のステップＳ３０に対応することに留意されたい。このモジュールは、対応するステップによって実施される実施例及びアプリケーションのシナリオと同じであるが、第１の実施形態の開示には限定されない。上述のモジュールは、第１の実施形態によって提供されたコンピュータターミナル１０におけるデバイスの一部として操作することができることに留意されたい。
【０１２２】
任意選択的に、図１９に示すように、開始ユニットは、第２の再生サブユニット１９０１と、開始サブユニット１９０３とを含む場合がある。
【０１２３】
第２の再生サブユニット１９０１は、切替えアニメーションを再生するように構成されている。切替えアニメーションの最初のフレームはマスキング層であり、切替えアニメーションの最後のフレームはアプリケーションの基層である。促進ユニット１９０３は、切替えアニメーションが完了した後に、アプリケーションを開始するように構成されている。
【０１２４】
第２の再生サブユニット１９０１と開始サブユニット１９０３とは、第１の実施形態のステップＳ９０２からステップＳ９０４に対応しており、これら２つのサブユニットは、対応するステップによって実施される実施例及びアプリケーションのシナリオと同じであるが、これらは第１の実施形態の開示には限定されないことに留意されたい。上述のサブユニットは、第１の実施形態によって提供されたコンピュータターミナル１０におけるデバイスの一部として操作することができることに留意されたい。
【０１２５】
任意選択的に、図２０に示すように、受信ユニット１００３は、第２の受信サブユニット２００１と、第１の判定サブユニット２００３と、第２の判定サブユニット２００５とを含む場合がある。
【０１２６】
第２の受信サブユニット２００１は、マスキング層で実施された所定の操作を受信するように構成されている。ここで、所定の操作には、タップ操作及びスワイプ操作が含まれる。第１の判定サブユニット２００３は、所定の操作が実施される操作位置に対応する操作エリアを判定するように構成されている。第２の判定サブユニット２００５は、操作エリアのサイズが第２のプリセットのサイズより大である場合、ロック解除指示が受信されたことを判定するように構成されている。
【０１２７】
第２の受信サブユニット２００１と、第１の判定サブユニット２００３と、第２の判定サブユニット２００５とは、第１の実施形態のステップＳ４０からステップＳ６０に対応しており、これら３つのサブユニットは、対応するステップによって実施される実施例及びアプリケーションのシナリオと同じであるが、これらは第１の実施形態の開示には限定されないことに留意されたい。上述のサブユニットは、第１の実施形態によって提供されたコンピュータターミナル１０におけるデバイスの一部として操作することができることに留意されたい。
【０１２８】
第３の実施形態
本出願の実施形態は、コンピュータターミナルのグループ内の任意のコンピュータターミナルデバイスである場合がある、コンピュータターミナルを提供する場合がある。任意選択的に、この実施形態では、上述のコンピュータターミナルは、移動ターミナルなどのターミナルデバイスと置き換えることもできる。
【０１２９】
任意選択的に、この実施形態では、上述のコンピュータターミナルは、コンピュータネットワークの複数のネットワークデバイスの少なくとも１つに位置している場合がある。
【０１３０】
この実施形態では、上述のコンピュータターミナルは、アプリケーションのターミナルをロック解除するための方法における以下のステップのプログラムコードを実行することができる。アプリケーションを開始するための開始指示が受信された場合に、ターミナルのスクリーン上にマスキング層を表示するステップ。マスキング層に基づき、ロック解除指示の入力を受信するステップ。ロック解除指示がプリセット指示にマッチする場合、アプリケーションを開始するステップ。
【０１３１】
本出願の上述の実施形態を使用して、ロック解除指示がプリセット指示にマッチする場合にアプリケーションを開始する目的は、アプリケーションを開始するための開始指示が受信された際にターミナルのスクリーン上にマスキング層を表示し、次いで、マスキング層に基づくロック解除指示の入力を受信することによって実現される。したがって、ターミナルのロック解除方法の隠匿性及び多様性を向上させ、ターミナルのロック解除方法の安全性を向上させる技術的効果が実現され、従来技術における、ターミナルのロック解除方法が安全性に欠ける問題が解決される。
【０１３２】
任意選択的に、図２１は、本出願の一実施形態に係る、コンピュータターミナルのブロック図である。図２１に示すように、コンピュータターミナルＡは、１つまたは複数（図中には１つのみ示されている）のプロセッサ２１０１、メモリ２１０３、及び伝達デバイス２１０５を含み得る。
【０１３３】
メモリ２１０３は、本出願の実施形態における安全性の脆弱性を検出する方法及びデバイスに対応するプログラム指示／モジュールなどの、ソフトウェアプログラム及びモジュールを貯蔵するために使用することができる。メモリ２１０３に貯蔵されたソフトウェアプログラム及びモジュールを実行することにより、プロセッサ２１０１は、様々な機能的アプリケーション及びデータ処理を実行する。すなわち、上述のシステムの脆弱性に対する攻撃を検出するための方法を実現する。メモリ２１０３は、高速ランダム・アクセス・メモリを含むことができ、また、１つまたは複数の磁気貯蔵デバイス、フラッシュメモリ、または他の不揮発性ソリッドステートメモリなどの、不揮発性メモリをも含むことができる。いくつかの実施例では、メモリ２１０３は、プロセッサに関して遠位に位置するメモリをさらに含むことができる。このメモリは、ネットワークを越えてターミナルＡに接続することができる。そのようなネットワークの実施例には、限定ではないが、インターネット、イントラネット、ローカル・エリア・ネットワーク、移動通信ネットワーク、及びこれらの組合せが含まれる。
【０１３４】
上述の伝達デバイス２１０５は、ネットワークを介してデータを受信または送信するために構成されている。上述のネットワークの特定の実施例には、有線ネットワーク及び無線ネットワークが含まれる場合がある。一実施例では、伝達デバイス２１０５は、インターネットまたはローカル・エリア・ネットワークと通信するように、ネットワークケーブルを介して、他のネットワークデバイス及びルータと接続することができる、ネットワークインターフェースコントローラ（ＮＩＣ）を含んでいる。一実施例では、伝達デバイス２１０５は、インターネットと無線で通信するための無線周波数（ＲＦ）モジュールである。
【０１３５】
具体的には、メモリ２１０３は、プリセットの動作条件及びプリセットの許可ユーザ、及びアプリケーションの情報を貯蔵するように構成されている。
【０１３６】
プロセッサ２１０１は、伝達デバイス２１０５を通して、メモリ２１０３によって貯蔵された情報及びアプリケーションを呼び出して、以下のステップを実施することができる。アプリケーションを開始するための開始指示が受信された場合に、ターミナルのスクリーン上にマスキング層を表示するステップ。マスキング層に基づき、ロック解除指示の入力を受信するステップ。ロック解除指示がプリセット指示にマッチする場合、アプリケーションを開始するステップ。
【０１３７】
任意選択的に、プロセッサ２１０１は、以下のプログラムコードをさらに実行する場合がある。ロック解除指示が空気流の指示であるかを判断し、ロック解除指示が空気流の指示である場合、ロック解除指示がプリセット指示にマッチするかを判定する。
【０１３８】
任意選択的に、プロセッサ２１０１は、以下のプログラムコードをさらに実行する場合がある。ロック解除指示が空気流の指示であるかを判断する。ロック解除指示が空気流の指示である場合、空気流の指示の空気流の強度がプリセットの強度よりも大であるかを判断する。空気流の指示の空気流の強度がプリセットの強度よりも大である場合、ロック解除指示がプリセット指示にマッチするかを判定する。
【０１３９】
任意選択的に、プロセッサ２１０１は、以下のプログラムコードをさらに実行する場合がある。ロック解除指示が、空気流の指示ではないと判断された場合、ロック解除指示が層をこする指示であるかを判断する。ここで、層をこする指示は、マスキング層の所定の動作を実施することによって生成される指示であり、この所定の動作には、タップ操作及びスワイプ操作が含まれる。ロック解除指示が層をこする指示である場合、層をこする指示に応じて、所定の操作が実施される操作位置に対応するエリアを判定し、そのエリア上に基層を表示する。基層の表示サイズが、第１のプリセットのサイズ以上である場合、ターミナルのスクリーン上にデスクトップを表示する。
【０１４０】
任意選択的に、プロセッサ２１０１は、以下のプログラムコードをさらに実行する場合がある。切替えアニメーションを再生する。ここで、切替えアニメーションの最初のフレームはマスキング層であり、切替えアニメーションの最後のフレームはアプリケーションの基層である。切替えアニメーションが終了した後に、ターミナルのスクリーン上にデスクトップを表示する。
【０１４１】
任意選択的に、プロセッサ２１０１は、以下のプログラムコードをさらに実行する場合がある。マスキング層を操作することによって生成された、パスワードボックスの表示指示を得る。ここで、パスワードボックスの表示指示は、ターミナルのスクリーン上に、ロック解除のプロンプト情報を表示するように指示するために使用される。パスワードボックスの表示指示に応じて、ターミナルのスクリーン上にロック解除のプロンプト情報を表示する。ロック解除のプロンプト情報を通して、ロック解除指示の入力を受信する。
【０１４２】
任意選択的に、プロセッサ２１０１は、以下のステップをさらに実行する場合がある。マスキング層で実施された所定の操作を受信するステップである。ここで、所定の操作には、タップ操作及びスワイプ操作が含まれる。所定の操作が実施される、操作位置に対応する操作エリアを判定するステップ。アプリケーションの基層を表示するステップ。所定の操作により、基層の表示サイズが第１のプリセットのサイズ以上であることが示された場合、パスワードボックスの表示指示が受信されたことを判定するステップ。
【０１４３】
任意選択的に、プロセッサ２１０１は、以下のプログラムコードをさらに実行する場合がある。パスワード入力ボックスへのロック解除指示の入力を受信する。
【０１４４】
任意選択的に、プロセッサ２１０１は、以下のプログラムコードをさらに実行する場合がある。ロック解除指示に含まれるロック解除パスワードが、プリセットのパスワードに一致する場合、ロック解除指示がプリセット指示にマッチすると判定する。
【０１４５】
任意選択的に、プロセッサ２１０１は、以下のプログラムコードをさらに実行する場合がある。ロック解除ボタンを押すことによって生成されるロック解除指示を受信する。
【０１４６】
任意選択的に、プロセッサ２１０１は、以下のプログラムコードをさらに実行する場合がある。切替えアニメーションを再生する。ここで、切替えアニメーションの最初のフレームはマスキング層であり、切替えアニメーションの最後のフレームはアプリケーションの基層である。切替えアニメーションが完了した後に、アプリケーションを開始する。
【０１４７】
任意選択的に、プロセッサ２１０１は、以下のステップをさらに実行する場合がある。マスキング層で実施された所定の操作を受信するステップ。ここで、所定の操作には、タップ操作及びスワイプ操作が含まれる。所定の操作が実施される、操作位置に対応する操作エリアを判定するステップ。操作エリアのサイズが第２のプリセットのサイズより大である場合、ロック解除指示が受信されたことを判定するステップ。
【０１４８】
当業者には、図２１に示す構造が説明的ものに過ぎず、コンピュータターミナルは、スマート移動電話（アンドロイドの移動電話、ｉＯＳの移動電話など）、タブレットコンピュータ、ハンドヘルドコンピュータ、移動インターネットデバイス（ＭＩＤ）、及びＰＡＤなどのターミナルデバイスとすることができることを理解されたい。図２１は、上述の電子デバイスの構造を限定するものではない。たとえば、コンピュータターミナルＡは、図２１に示す構成要素よりも多いか少ない構成要素（ネットワークインターフェース、ディスプレイデバイスなど）を含むか、図２１に示す構成とは異なる構成を有する場合もある。
【０１４９】
当業者には、上述の実施形態の様々な方法における各ステップのすべてまたは一部が、ターミナルデバイスの関連するハードウェアに教示するように、プログラムによって実施することができることを理解されたい。プログラムは、コンピュータ可読貯蔵媒体に貯蔵することができる。貯蔵媒体は、フラッシュディスク、リードオンリメモリ（ＲＯＭ）、ランダム・アクセス・メモリ（ＲＡＭ）、磁気ディスク、または光ディスクなどを含む場合がある。
【０１５０】
第４の実施形態
本出願の実施形態は、貯蔵媒体をも提供する。任意選択的に、この実施形態では、上述の貯蔵媒体は、第１の実施形態によって提供されたターミナルのロック解除方法によって実行されるプログラムコードを貯蔵するために使用され得る。
【０１５１】
任意選択的に、この実施形態では、上述の貯蔵媒体は、コンピュータネットワークのコンピュータターミナルのグループの任意のコンピュータターミナルか、移動ターミナルグループの任意の移動ターミナルに位置する場合がある。
【０１５２】
任意選択的に、この実施形態では、貯蔵媒体は、以下のステップを実施するためのプログラムコードを貯蔵するように構成されている。アプリケーションを開始するための開始指示が受信された場合に、ターミナルのスクリーン上にマスキング層を表示するステップ。マスキング層に基づき、ロック解除指示の入力を受信するステップ。ロック解除指示がプリセット指示にマッチする場合、アプリケーションを開始するステップ。
【０１５３】
本出願の上述の実施形態を使用して、ロック解除指示がプリセット指示にマッチする場合にアプリケーションを開始する目的は、アプリケーションを開始するための開始指示が受信された際にターミナルのスクリーン上にマスキング層を表示し、次いで、マスキング層に基づくロック解除指示の入力を受信することによって実現される。したがって、ターミナルのロック解除方法の隠匿性及び多様性を向上させ、ターミナルのロック解除方法の安全性を向上させる技術的効果が実現され、従来技術における、ターミナルのロック解除方法が安全性に欠ける技術的問題が解決される。
【０１５４】
上述のコンピュータターミナルのグループのいずれか１つが、ウェブサイトサーバ及びスキャナと通信関係を確立することができ、スキャナは、コンピュータターミナル上のＰＨＰによって実行されるウェブアプリケーションの値のコマンドをスキャンすることができることに留意されたい。
【０１５５】
本出願の上述の実施形態は、もっぱら記載を目的とするものであり、実施形態の利点及び欠点を示すものではない。
【０１５６】
本出願の上述の実施形態では、様々な実施形態の記載は異なっており、ある実施形態に詳述されていない部分に関し、他の実施形態の記載を参照することができる。
【０１５７】
本出願によって提供されるいくつかの実施形態では、開示の技術的内容は、他の方式で実施され得ることを理解されたい。上述のデバイスの実施形態は、単に説明的ものである。たとえば、ユニットの分割は、論理的な機能上の分割に過ぎない。実際の実施態様では、分割の別の方式が存在する場合がある。たとえば、複数のユニットまたは構成要素が組み合わせられ得るか、別のシステムに組み込まれ得、あるいは、いくつかの特徴は、無視するか、実行しないことができる。さらに、図示されるか論じられた相互結合、直接結合、または通信接続は、いくつかのインターフェース、ユニットまたはモジュールを通る間接的な結合または通信接続である場合があるか、電気的か別様の方式である場合がある。
【０１５８】
別々の構成要素として記載のユニットは、物理的に分離しているか分離していない場合があり、ユニットとして表示されている構成要素は、物理的ユニットであるか、物理的ユニットではない場合がある。すなわち、１つの場所に位置する場合があるか、複数のネットワークユニットに分配されている場合がある。ユニットのいくつかまたはすべては、本実施形態の目的を達成するために実際の要請に応じて選択され得る。
【０１５９】
さらに、本出願の各実施形態の各機能ユニットは、１つの処理ユニットに組み込まれている場合があるか、各ユニットが、物理的に離れて存在する場合があるか、２つ以上のユニットが１つのユニットに統合されている場合がある。上述の統合されたユニットは、ハードウェアの形態か、ソフトウェア機能ユニットの形態で実施することができる。
【０１６０】
統合されたユニットは、ソフトウェアの機能ユニットの形態で実施され、スタンドアロンの製品として販売または使用される場合、コンピュータ可読貯蔵媒体に貯蔵されている場合がある。そのような理解に基づき、本出願の本質的な技術的解決策、または、従来技術に対して貢献する部分は、部分的または全体として、ソフトウェア製品の形態で実施され得る。ソフトウェア製品は、貯蔵媒体に貯蔵されており、コンピュータデバイス（パーソナルコンピュータ、サーバ、ネットワークデバイスなどである場合がある）に、本出願の各実施形態の方法の各ステップのすべてまたは一部を実施させるための複数の指示を含んでいる。前述の貯蔵媒体には、Ｕディスク、リードオンリメモリ（ＲＯＭ）、ランダム・アクセス・メモリ（ＲＡＭ）、取外し可能なハードディスク、磁気ディスク、または光ディスクなどが含まれる。
【０１６１】
上述の記載は、本出願の好ましい実施形態に過ぎず、当業者は、本出願の原理を逸脱することなく、いくつかの向上及び改良を行うことができることに留意されたい。これら向上及び改良も、本出願の保護の範囲にあると解されるものとする。
【図１】
2019518269.tif 000003
【図２（ａ）】
2019518269.tif 000004
【図２（ｂ）】
2019518269.tif 000005
【図２（ｃ）】
2019518269.tif 000006
【図２（ｄ）】
2019518269.tif 000007
【図３（ａ）】
2019518269.tif 000008
【図３（ｂ）】
2019518269.tif 000009
【図４】
2019518269.tif 000010
【図５（ａ）】
2019518269.tif 000011
【図５（ｂ）】
2019518269.tif 000012
【図５（ｃ）】
2019518269.tif 000013
【図６（ａ）】
2019518269.tif 000014
【図６（ｂ）】
2019518269.tif 000015
【図７（ａ）】
2019518269.tif 000016
【図７（ｂ）】
2019518269.tif 000017
【図８】
2019518269.tif 000018
【図９】
2019518269.tif 000019
【図１０】
2019518269.tif 000020
【図１１】
2019518269.tif 000021
【図１２】
2019518269.tif 000022
【図１３（ａ）】
2019518269.tif 000023
【図１３（ｂ）】
2019518269.tif 000024
【図１４（ａ）】
2019518269.tif 000025
【図１４（ｂ）】
2019518269.tif 000026
【図１５】
2019518269.tif 000027
【図１６】
2019518269.tif 000028
【図１７】
2019518269.tif 000029
【図１８】
2019518269.tif 000030
【図１９】
2019518269.tif 000031
【図２０】
2019518269.tif 000032
【図２１】
2019518269.tif 000033
【国際調査報告】
2019518269.tif 000034
2019518269.tif 000035
2019518269.tif 000036
2019518269.tif 000037